(57)【要約】【課題】  記憶装置に点在する画像ソースファイルを迅速に検索できるようにする。【解決手段】  記憶装置１８は、ユーザが投映しようとする画像ソースファイルを蓄積記憶する。画像生成部２０は、ユーザが様々な選択行為を行うために必要なメニュー画像を生成する。メニュー画像には、動作モードをユーザが選択する画面、投映可能な画像ファイルを選択する画面、及び、ファイル再生スケジュールを行う画面等がある。メニュー画面では、ディレクトリごとの画像ソースファイルの表示、作成者ごとの画像ソースファイルの表示、及び再生履歴の表示を選択できる。画像処理部２４は、ＣＰＵ１２から供給された描画命令に従って描画処理を実行し、描画処理された画像を映像信号に変換し、投映部２６に出力する。投映部２６は、光源、液晶パネル及びレンズ等を有する。【選択図】  図１
2006333158.tif 000002
【特許請求の範囲】
【請求項１】
画像ソースファイルを記憶する記憶装置と、
前記記憶装置に記憶される画像ソースファイルを属性ごとに分類する画像分類手段と、
前記画像分類手段による前記属性ごとの分類の結果に従い、前記記憶装置に記憶される前記画像ソースファイルを示す情報を投映する投映手段
とを具備することを特徴とする投映装置。
【請求項２】
前記記憶装置が、前記画像ソースファイルを階層的なディレクトリ構造で記憶することを特徴とする請求項１に記載の投映装置。
【請求項３】
前記画像分類装置が、前記画像ソースファイルを作成者毎に分類することを特徴とする請求項１に記載の投映装置。
【請求項４】
前記画像分類装置が、前記画像ソースファイルを作成日順に分類することを特徴とする請求項１に記載の投映装置。
【請求項５】
前記画像分類装置が、前記画像ソースファイルをファイル名順に分類することを特徴とする請求項１に記載の投映装置。
【請求項６】
前記画像分類装置が、前記画像ソースファイルを再生履歴順に分類することを特徴とする請求項１に記載の投映装置。
【請求項７】
更に、前記記憶装置に格納された画像ソースファイルをユーザが選択する選択手段を具備することを特徴とする請求項１乃至６の何れか１項に記載の投映装置。
【請求項８】
更に、表示すべき画像ソースファイルのスケジュールを管理するスケジュール管理手段を具備し、
前記投映手段は、前記スケジュール管理手段の前記スケジュールに従い、対応する画像ソースファイルの内容を逐次、表示する
ことを特徴とする請求項１乃至７の何れか１項に記載の投映装置。
【請求項９】
前記記憶装置が、ネットワークを介して接続することを特徴とする請求項１乃至８の何れか１項に記載の投映装置。
【発明の詳細な説明】
【技術分野】
【０００１】
本発明は、画像をスクリーンに投映する投映装置に関する。
【背景技術】
【０００２】
従来、会議や打ち合わせにおいて、発表資料等の表示に投映装置、いわゆるプロジェクタ等が広く利用されている。通常、投映装置で画像を投映するには次のようにしている。即ち、必要な１又は複数の画像ソースを蓄積したパーソナルコンピュータ(以下、ＰＣと称す)の映像出力を投映装置の映像入力に接続し、希望の画像ソースをＰＣ上で再生する。ＰＣは、希望の画像ソースの映像信号を投映装置に出力し、投映装置は、ＰＣからの映像信号の示す画像をスクリーンに投映する。
【０００３】
ＰＣと投映装置を接続する映像信号ケーブルには、３原色の画像信号を個別に伝送するＲＧＢ形式、輝度信号と色信号を分離して伝送するＳビデオ形式、及びデジタル画像信号を圧縮伝送するＤＶＩ形式等がある。
【０００４】
すなわち、投映の準備として、ＰＣと投映装置とを所定のケーブルで接続する必要があり、ユーザにとっては接続の手間や持ち運びなどの面で不便であった。
【０００５】
このような不便を解消するため、メモリスロットを搭載したプロジェクタ、メモリカードリーダを接続できるプロジェクタ及びネットワーク経由で映像ソースを入手できるプロジェクタが提案された（特許文献１参照）。
【０００６】
一方、近年、記録媒体の記憶容量は大容量の傾向があり、ＰＣに蓄積する画像ソースのデータ量も増えると考えられる。
【特許文献１】特開２０００−０２３１４８号公報
【発明の開示】
【発明が解決しようとする課題】
【０００７】
投映したい画像ソースが多くなったり、複数の記録媒体に点在したりすると、希望の映像ソースを検索するのにも時間を費やしてしまう。
【０００８】
そのため、発表者が自分の発表資料を発表する場合、その資料が、記録媒体のどこにあるのか、どの記録媒体に蓄積されているか、また、ネットワーク上のどの記録媒体にあるのかを常に意識する必要がある。
【０００９】
また、発表者の交代等で次の発表資料を選択する場合、選択に手間取れば、視聴者はその作業の間、待たされることとなり、スムーズなプレゼンテーションが行えないという問題がある。
【００１０】
そこで、本発明は、多くの画像ソースから所望のものを迅速に検索できる投映装置を提示することを目的とする。
【００１１】
本発明はまた、一旦検索した画像ソースを、２回目以降では簡単に検索できる投映装置を提示することを目的とする。
【課題を解決するための手段】
【００１２】
上記の目的を達成するために、本発明に係る投映装置は、画像ソースファイルを記憶する記憶装置と、前記記憶装置に記憶される画像ソースファイルを属性ごとに分類する画像分類手段と、前記画像分類手段による前記属性ごとの分類の結果に従い、前記記憶装置に記憶される前記画像ソースファイルを示す情報を投映する投映手段とを具備することを特徴とする。
【発明の効果】
【００１３】
本発明によれば、画像ソースファイルを示す情報、例えばファイル名を、その属性ごとに分類して表示するので、画像ソースファイルが点在しても、容易且つウ迅速に検索でき、スムーズなプレゼンテーションがすることができる。
【発明を実施するための最良の形態】
【００１４】
以下、本発明の実施の形態について、図面を参照して説明する。
【実施例１】
【００１５】
図１は、本発明第１の実施例である投映装置の概略構成ブロック図を示す。投映装置１０は、ＣＰＵ(Ｃｅｎｔｒａｌ  Ｐｒｏｃｅｓｓｉｎｇ  Ｕｎｉｔ)１２、ＲＯＭ(Ｒｅａｄ  Ｏｎｌｙ  Ｍｅｍｏｒｙ)１４、ＲＡＭ(Ｒａｎｄｏｍ  Ａｃｃｅｓｓ  Ｍｅｍｏｒｙ)１６、記憶装置１８、画像生成部２０、画像データや制御信号が入出力するＩ／Ｆ２２（インターフェース）、画像処理部２４及び投映部２６からなる。
【００１６】
ＣＰＵ１２は、ＲＯＭ１４に格納されているプログラムを読み出し、読み出されたプログラムに基づいて演算処理を実行し、投映装置１０の各部を制御する。ＲＯＭ１４は、ＣＰＵ１２が実行する基本的なプログラム、ＯＳ（オペレーティングシステム）及びユーザ固有の設定等を記憶する。ＲＡＭ１６は、表示すべき画像のデータ及びＣＰＵ１２の演算対象となるデータを一時的に記憶する。
【００１７】
記憶装置１８は、ユーザが投映しようとする画像ソースファイルを蓄積記憶する装置であり、例えば、ＨＤＤ(Ｈａｒｄ  Ｄｉｓｋ  Ｄｒｉｖｅ)等である。
【００１８】
画像生成部２０は、ユーザが様々な選択行為を行うために必要なメニュー画像を生成する。メニュー画像には、動作モードをユーザが選択する画面、投映可能な画像ファイルを選択する画面、及び、ファイル再生スケジュールを行う画面等がある。
【００１９】
画像処理部２４は、ＣＰＵ１２から供給された描画命令に従って描画処理を実行し、描画処理された画像を映像信号に変換し、投映部２６に出力する。投映部２６は、光源、液晶パネル及びレンズ等を有する。画像処理部２４から入力された映像信号は、液晶パネルにより画像として展開され、その画像が光源によって照らすことにより、スクリーン上に投映される。
【００２０】
Ｉ／Ｆ２２は、Ｅｔｈｅｒｎｅｔ（登録商標）、ＵＳＢ及び／又は無線ＬＡＮ等を介してサーバ２８及びＰＣ３０と接続する。Ｉ／Ｆ２２は、サーバ２８及びＰＣ３０から送られる画像ファイルを記憶装置１８に転送する。また、Ｉ／Ｆ２２は、リモコン３２の信号を解析し、ＣＰＵ１２に伝達する。
【００２１】
次に、図２を用いて、本実施例１のメニュー画面を説明する。まず、投映装置１０が起動すると、画像生成部２０がメニュー画面を作成し、そのメニュー画面は、画像処理部２４を経て、投映部２６によりスクリーン上に投映される。ただし、メニュー画面は、投映装置１０に備え付けのディスプレイに表示させてもよい。ここでは、メニュー画面をスクリーンに投映することとする。
【００２２】
本実施例には、ディレクトリごとに画像ソースを表示する表示モード（以下、ディレクトリモードという）と、作成者ごとに画像ソースを表示する表示モード（以下、作成者モードという）と、再生履歴を表示する表示モード（以下、履歴モードという）の３つの表示モードがあり、メニュー画面では、「１．ディレクトリごとに画像ソースを表示」、「２．作成者ごとに画像ソースを表示」及び「３．再生履歴の表示」と表示される。ユーザはどの表示方法で画像ソースを表示させるかを決定する。メニュー画面の操作方法には、ユーザがリモコン３２から操作する方法と、投映装置１０に備え付けのユーザインタフェースで操作する方法の２つの方法があるが、ここでは、リモコン３２による操作方法を説明する。
【００２３】
図３を参照して、リモコン３２の機能を説明する。リモコン３２は十字キー３２ａ、ＳＥＴ（設定）キー３２ｂ、ＰＬＡＹ（再生）キー３２ｃ、及びＳＴＯＰ（停止）キー３２ｄの４つのキーを備えている。十字キー３２ａは、図２に示した選択カーソル（破線）を上下左右に移動するのに使用される。ＳＥＴキー３２ｂは、十字キー３２ａによる選択の決定に使用される。ＰＬＡＹキー３２ｃは、画像ソースの再生投映を指示するのに使用される。ＳＴＯＰキー３２ｄは、画像ソースの再生投映の停止を指示するのに使用される。
【００２４】
一般的な方法と同様に、ユーザは十字キー３２ａを使用してメニュー画面にある選択カーソルを移動させ、所望の表示モードに対してＳＥＴキー３２ｂを押下して、決定する。
【００２５】
メニュー画面に表示される３つの表示モードの内容を簡単に説明する。ユーザがメニュー画面でディレクトリモードを選択すると、図４に示す画面が表示される。記憶装置１８に蓄積された画像ソースファイルがディレクトリ構造ごとに表示される。ユーザは、ディレクトリをたどっていくことで画像ソースファイルを検索できる。
【００２６】
ユーザが所望の画像ソースファイルに選択カーソルを合わせて、ＰＬＡＹキー３２ｃを押下すると、その画像ソースファイルの画像が再生され、スクリーンに投映される。また、ＳＴＯＰキー３２ｄが押下されると、画像の投映が停止し、図４に示す画面に戻る。図４の左上にある「戻る」を選択し、ＳＥＴキー３２ｂを押下すると、メニュー画面に戻ることができる。
【００２７】
ユーザがメニュー画面で作成者モードを選択した場合、図５に示す画面が表示される。記憶装置１８に記憶される画像ソースファイルのリストが、各画像ソースファイルに関連付けられている作成者及びファイル名でソートされて、表示される。図５に示す画面例では、ファイルの作成者（Ａｕｔｈｏｒ）、ファイルの名前（ＦｉｌｅＮａｍｅ）及びファイルが蓄積されているディレクトリ（Ｄｉｒｅｃｔｏｒｙ）が、作成者ごとに分類されて表示される。表示された画面を見ることにより、誰が作成したファイルかが一目で分かる。また、フォルダのインデックスである作成者は名前の順番(アルファベット、五十音順、数字)によって表示されている。同一作成者の画像ソースファイルをそのファイル名でなく、作成日順に表示しても良い。
【００２８】
ユーザはが、自分の作成した画像ソースファイル群の中から所望の画像ソースファイルを選択し、ＰＬＡＹキー３０ｃを押下すると、その画像ソースファイルの画像が再生されて、スクリーンに投映される。ユーザがＳＴＯＰキー３０ｄを押下すると、画像の投映が停止し、図５に示す画面に戻る。図５に示す画面の左上にある「戻る」を選択し、ＳＥＴキー３０ｂを押下することで、メニュー画面に戻ることが出来る。
【００２９】
このようにして、ディレクトリモード及び作成者モードでは、所望の画像ソースファイルを選択と再生を繰り返すことにより、複数の発表資料を順次、投映することが可能である。
【００３０】
ディレクトリモード及び作成者モードに加えて、画像ソースファイルの作成年月日ごとに異なるフォルダに収容するディレクトリ構造を採用し、その策生年月日でまとめて表示する表示モードを設けても良い。
【００３１】
次に、履歴モードの利用法を説明する。一度投映した画像を再び投映することは、しばしば、起こり得る。一度投映した画像の画像ソースファイルを再び同様の方法で検索し選択した上で投映するのは、手間がかかる。履歴モードを利用することで、この手順を簡略化できる。即ち、本実施例では、投映装置１０は、一度投映した画像の画像ソースファイルのファイル名と場所ををＲＡＭ１６に記憶しておき、それを、履歴として表示できる。ユーザは、過去に投映した画像の画像ソースファイルを履歴から検索し、再生を指示すれば良い。
【００３２】
図２に示すメニュー画面で「３．再生履歴の表示」を選択すると、履歴モードになる。履歴モードが選択されると、図６に示すような画面が表示される。履歴モードでは、図６に示すように、過去に再生された画像ソースファイルのファイル名、ディレクトリ（保管場所）及び作成者が一覧表示される。図６に示す画面で、所望の画像ソースファイルに選択カーソルを合わせて、ＰＬＡＹキー３２ｃを押下することで、その画像ソースファイルの画像が再生され、投映される。
【００３３】
次に、画像ソースファイルの投映をスケジュールリングする機能を説明する。投映のスケジュールを規定するプレイリストを作成する。プレイリストの作成は、ディレクトリモード、作成者モード及び履歴モードのいずれのモードでも可能である。
【００３４】
図４乃至図６の画面右上にある「プレイリスト」を選択し、ＳＥＴキー３２ｂを押下することで、図７に示すようなプレイリスト設定画面が表示される。図７に示すプレイリスト設定画面では、画面左側に設定中のプレイリストを表示し、画面右側には、図２に示すメニュー画面、又は、設定可能な画像ソースファイルの一覧を表示モードに従って図４乃至図６に示す画面を表示する。なお、図７に示す画面構成では、大きな画面に表示しないと、個々の内容を判読しにくい。画面サイズが小さいディスプレイを使用する場合には、プレイリスト画面を、図７に示す例の左半分のみからなる１画面構成としてもよい。
【００３５】
図７に示す例では、右側のメニュー画面で作成者モードが選択され、左側では、作成モードの表示形態でプレイリストの内容が表示されている。プレイリストを設定する時は、画面右側の設定可能な画像ソースファイルの中から投映したい順番に画像ソースファイルを選択し、ＳＥＴキー３２ｂを押下する。これにより、選択された画像ソースファイルがプレイリスト欄に登録される。登録されたプレイリストデータはＲＡＭ１６に保存される。
【００３６】
一方、プレイリストに登録した画像ソースファイルを削除する場合は、プレイリスト欄にある画像ソースファイルを選択し、図７の画面右上にある「削除」ボタンを選択する。画面右上の「全クリア」を選択した場合、プレイリストに登録された全画像ソースファイルがクリアされる。
【００３７】
プレイリストの設定が完了したら、ユーザはＰＬＡＹキー３２ｃを押下すればよい。これに応じて、ＲＡＭ１６に保存されたプレイリストの画像ソースファイルの画像が、その順番で再生され、投映される。
【００３８】
このように作成したプレイリストをＲＡＭ１６から記憶装置１８に書き出しておくことで、電源を再投入した際にも、そのプレイリストを利用できる。
【００３９】
作成者ごと又は作成日ごとに画像ソースファイルをフォルダ分類することにより、作成者または作成日を特定した画像ソースファイルの選択が容易になる。さらに、画像ソースファイルの履歴を保存し、参照できるようにしたので、一度表示した画像ソースファイルを、再び検索することなく、容易且つ迅速に再表示することができる。画像ソースファイルのプレイリストを作成することで、所望の複数の画像ソースファイルを逐次的に投映できる。
【実施例２】
【００４０】
図８は、本発明の第２実施例である投映装置の概略構成ブロック図を示す。図８において、投映装置２１０は、ＣＰＵ(Ｃｅｎｔｒａｌ  Ｐｒｏｃｅｓｓｉｎｇ  Ｕｎｉｔ)２１２、ＲＯＭ(Ｒｅａｄ  Ｏｎｌｙ  Ｍｅｍｏｒｙ)２１４、ＲＡＭ(Ｒａｎｄｏｍ  Ａｃｃｅｓｓ  Ｍｅｍｏｒｙ)２１６、メモリカード２１８、画像生成部２２０、画像データや制御信号が入出力されるＩ／Ｆ（インターフェース）２２２、画像処理部２２４、投映部２２６及びメモリカードスロット２５０からなる。
【００４１】
ＣＰＵ２１２は、ＲＯＭ２１４に格納されているプログラムに基づいて演算処理を実行し、投映装置２１０の各部を制御する。ＲＯＭ２１４は、ＣＰＵ２１２が実行する基本的なプログラム及びＯＳ（オペレーティングシステム）並びにユーザ固有の設定等を記憶する。ＲＡＭ２１６は、表示すべき画像のデータ及びＣＰＵ２１２の演算対象となるデータを一時的に格納する。
【００４２】
メモリカード２１８は、メモリカードスロット２５０に接続されるリムーバブルメモリとの間でデータを転送する。なお、複数のメモリカードスロット２５０を搭載している場合、どのスロットのデータかをチャンネルで管理する。
【００４３】
画像生成部２２０はユーザが様々な選択行為を行うために必要なメニュー画像を生成する。メニュー画像には、動作モードをユーザが選択する画面、投映可能な画像ファイルを選択する画面、及び、ファイル再生スケジュールを行う画面等がある。
【００４４】
画像処理部２２４は、ＣＰＵ２１２から供給された描画命令に従って描画処理を実行する。描画処理された画像を映像信号に変換し、投映部２２６に出力する。投映部２２６は、光源、液晶パネル及びレンズ等を有し、画像処理部２２４から入力される映像信号の示す画像を液晶パネルに展開する。光源からの光を液晶パネルに照射することで、画像がスクリーン上に投映される。
【００４５】
Ｉ／Ｆ２２２は、図示しないメモリカードに格納される画像ソースファイルを読み取り可能なカードリーダ２５２と接続する。カードリーダ２５２で読み取られた画像ファイルは、Ｉ／Ｆ２２２を介してメモリカード２１８に転送される。また、Ｉ／Ｆ２２２は、リモコン２３２からの制御信号をＣＰＵ２１２に伝達する。
【００４６】
投映装置２１０は、投映可能なファイルを装置内に接続されているリムーバルなメモリから投映する。投映のためのファイル選択は、実施例１と同様の動作であるので、動作の説明は省略する。
【実施例３】
【００４７】
実施例１では、投映装置１０とサーバ２８又はＰＣ３０をピアツーピアネットワーク（対等型）で接続した。これを、画像ソースファイルをネットワークに接続されている複数のサーバ又はＰＣから画像ソースファイルを取得するように変更してもよい。図９は、そのように変更した実施例の概略構成図を示す。ネットワークは、ＬＡＮ（構内通信網）又はＷＡＮ（広域通信網）等からなる。データ処理形態としては、メインフレーム型ネットワーク（集中処理型）でも、クライアント／サーバ型ネットワーク（分散処理型）でもよい。
【００４８】
ユーザに投映可能な画像ソースファイルを表示する場合、ネットワークに接続されているサーバ３２８又はＰＣ３３０，ＰＣ３３０ａに蓄積されている投映可能な全画像ソースファイルを、ディレクトリモード、作成者モード又は履歴モードで表示する。ユーザが所望の画像ソースファイルを選択した場合、その画像ソースファイルを蓄積している装置から投映装置３１０内の記録媒体（不図示）に転送し、投映する。投映のためのファイル選択動作は、実施例１と同様であるので、動作の説明は省略する。
【００４９】
ネットワークの接続形態は、スター型トポロジ、バス型トポロジ及びリング型トポロジ等の物理的な接続形態のどれであってもよいことはいうまでもない。
【図面の簡単な説明】
【００５０】
【図１】本発明の第１実施例である投映装置の概略構成ブロック図である。
【図２】第１実施例のメニュー画面のイメージ図である。
【図３】第１実施例のリモコンのイメージ図である。
【図４】ディレクトリモードの表示画面図である。
【図５】作成者モードの画面図である。
【図６】履歴モードの画面図である。
【図７】本実施例１のプレイリスト設定画面図である。
【図８】本発明の第２実施例である投映装置の概略構成ブロック図である。
【図９】本ッ発明の第３実施例のネットワーク接続図である。
【符号の説明】
【００５１】
１０，２１０，３１０  投映装置
１２，２１２  ＣＰＵ
１４，２１４  ＲＯＭ
１６，２１６  ＲＡＭ
１８，２１８  記録媒体（ＨＤＤ，メモリカード）
２０，２２０  メニュー画面生成部
２２，２２２  Ｉ／Ｆ
２４，２２４  画像処理部
２６，２２６  投映部
２８，３２８  サーバ
３０，３３０，３３０ａ  ＰＣ
３２，２３２，３３２  リモコン
３２ａ  十字キー
３２ｂ  ＳＥＴキー
３２ｃ  ＰＬＡＹキー
３２ｄ  ＳＴＯＰキー
２５０  メモリカードスロット
２５２  カードリーダ
【図１】
2006333158.tif 000003
【図２】
2006333158.tif 000004
【図３】
2006333158.tif 000005
【図４】
2006333158.tif 000006
【図５】
2006333158.tif 000007
【図６】
2006333158.tif 000008
【図７】
2006333158.tif 000009
【図８】
2006333158.tif 000010
【図９】
2006333158.tif 000011